(57)【特許請求の範囲】
【請求項１】
指紋センサの指紋読取面に置かれた指の指紋画像を読み取り、前記指紋画像を予め登録された指紋画像と照合する指紋照合装置において、
被認証者を特定するための特定情報を読み込む読込手段と、
前記指紋センサの指紋読取面上に配置され、被認証者の指と接触する面に粘性がある透明弾性膜を持つフィルムと、を有し、
前記フィルムには、前記特定情報と、前記被認証者によって指が置かれた前記フィルム上の位置情報とを対応付けて記録する領域を有することを特徴とする指紋照合装置。
【請求項２】
被認証者を示す特定情報と、前記被認証者によって指が置かれた位置情報とを対応づけ、更に前記被認証者の指紋画像を読み取った日時を示す時間情報を対応付けることを特徴とする請求項１記載の指紋照合装置。
【請求項３】
前記被認証者によって指が置かれた位置情報は、前記フィルムに記載されたフィルム上の位置を表す記号であることを特徴とする請求項１記載の指紋照合装置。
【請求項４】
前記特定情報と、前記被認証者によって指が置かれた前記フィルム上の位置情報とを対応付けて記録する領域は記録媒体であることを特徴とする請求項１記載の指紋照合装置。
【請求項５】
被認証者を示す特定情報と、前記被認証者によって指が置かれた位置とを対応付けた情報を、前記フィルムに書き込む書込部を更に有することを特徴とする請求項１記載の指紋照合装置。
【発明の詳細な説明】
【技術分野】
【０００１】
本発明は、指紋照合装置に関し、特に、被認証者の指先の垢等を、指紋照合と同時に取得する機能を有する指紋照合装置に関するものである。
【背景技術】
【０００２】
近年、各国の入国審査は、厳密になりつつある。最近では、生体情報を用いて出入国者の厳密な審査を行う構想が提案された。この構想は、入国審査時に、入国者の指紋画像と顔画像を取得し、生体認証を用いて、要注意人物リストに入国者が含まれるか否かを判定するものである。また、パスポートにICチップを埋め込み、入国者の個人情報と共に、指紋画像や顔画像等の生体情報を記録し、パスポート所持者が本人であるか否かを厳密に確認することも提案されている。さらに、入国時に入国者の指紋画像だけでなく、DNAも保存することも提案されている。これによれば、入国者が国内で犯罪に関与した場合、DNAを用いることで迅速な犯罪捜査を展開することができると考えられる。
【０００３】
従来から指紋照合装置の性能を向上させるため様々な技術が提案されている。
【０００４】
例えば、被認証者の指先に垢等が付着しており、指紋入力が正確にできない場合に、指紋入力の誤差を少なくすることができる技術がある。この技術は被認証者の指先に付着した垢等を乾燥させ、指紋の隆線にのみ油脂膜を形成させるものである。これによって、隆線と指紋センサの指紋読取面の密着性が大幅に向上し、誤認識が減少する(特許文献1)。
【０００５】
また、例えば、指紋読取面を清浄に保つための浄化手段を有し、指紋読取面の汚れ等による誤認識を防止することができる技術がある。この技術は指紋センサの指紋読取面上に透明フィルムを配置し、指紋読み取り毎に、この透明フィルムを巻取機構部により所定の長さだけ巻き取るものである。これによって、指紋読取面上に常に新しい透明フィルムが配置されるので、汚れ等による誤認識が減少する(特許文献2)。
【特許文献１】特開平11-318863号公報
【特許文献２】特開平11-339004号公報
【発明の開示】
【発明が解決しようとする課題】
【０００６】
従来、DNAは、被認証者の髪の毛、皮膚の破片等を採取し、DNA抽出作業を行うことで、取得している。特に、皮膚の破片等として指先の垢を採取する場合は、被認証者の指と接触する面に粘性のあるフィルム等に被認証者が指先を押し当て、フィルムの粘性により残った指先の垢等からDNAを抽出している。このように、被認証者のDNAを抽出するにあたって、皮膚の破片等の採取作業は、独立して行われていた。
そこで、被認証者の指先の垢等を、被認証者が指先を指紋読取面に接触させる指紋照合において、取得することができれば、皮膚の破片等の採取作業を独立して行う必要がなくなり、作業効率が向上すると考えられる。
【０００７】
本発明の目的は、被認証者が国内で犯罪に関与した場合、被認証者の指紋画像、または、DNAも用いて迅速な犯罪捜査を展開することを実現するために、被認証者の指先の垢等を指紋照合と同時に取得することができる指紋照合装置を提供することにある。
【課題を解決するための手段】
【０００９】
指紋センサの指紋読取面に置かれた指の指紋画像を読み取り、前記指紋画像を予め登録された指紋画像と照合する指紋照合装置において、被認証者を特定するための特定情報を読み込む読込手段と、前記指紋センサの指紋読取面上に配置され、被認証者の指と接触する面に粘性がある透明弾性膜を持つフィルムとを有し、前記フィルムには、前記特定情報と、前記被認証者によって指が置かれた前記フィルム上の位置情報とを対応付けて記録する領域を有することを特徴とする指紋照合装置である。これによれば、前記フィルムは被認証者の指と接触する面に粘性があるため、被認証者が指紋センサの指紋読取面に指を置いた場合、指先の垢等の生体情報が透明弾性膜上に残る。また、読み込んだ被認証者を特定するための情報を用いて、被認証者と被認証者によって指が置かれた位置とを対応付けることができる。
【００１２】
本発明は、被認証者を示す特定情報と、前記被認証者によって指が置かれた位置情報とを対応づけ、更に前記被認証者の指紋画像を読み取った時間情報を対応付けることを特徴とする指紋照合装置である。これによれば、被認証者の指紋画像を読み取った時間情報を用いるため、被認証者と被認証者が指を置いた位置とを対応付けることができる。
【００１３】
前記被認証者によって指が置かれた位置情報は、前記フィルムに記載されたフィルム上の位置を表す記号であることを特徴とする指紋照合装置である。これによれば、フィルム上の位置を表す記号を参照して、被認証者を示す特定情報と前記被認証者が指を置いた位置とを対応付けることができる。
【００１４】
本発明は、前記特定情報と、前記被認証者によって指が置かれた前記フィルム上の位置情報とを対応付けて記録する領域は記録媒体であることを特徴とする指紋照合装置である。これによれば、記録媒体に被認証者と前記被認証者を対応付けることができる情報とを記録することができる。
【００１５】
本発明は、被認証者を示す特定情報と、前記被認証者によって指が置かれた位置とを対応付けた情報を、前記フィルムに書き込む書込部を更に有することを特徴とする指紋照合装置である。これによれば、前記フィルムに、被認証者と前記被認証者が指を置いた位置とを対応付ける情報を書き込むことができる。
【発明の効果】
【００１８】
本発明では、指紋センサの指紋読取面上に、被認証者の指と接触する面に粘性があり、かつ、被認証者と前記被認証者が指を置いた位置とを対応付け可能な情報を記録できる記録媒体を有する透明弾性膜を有するフィルムを配置することで、指紋照合において、被認証者と前記被認証者の指先の垢等とを対応付けて取得することが可能となる。
【発明を実施するための最良の形態】
【００１９】
以下に本発明の実施の形態について、図面に基づいて説明する。なお、本発明は、この実施の形態に限られない。
【実施例１】
【００２０】
図1は本発明の実施の形態を示す外観図である。本発明における指紋照合装置は、被認証者と被認証者によって指が置かれた位置とを対応付ける情報を記録する磁気ストライプ25を有する透明フィルム20、屈折率整合剤補充器21、指紋センサ3、屈折率整合剤23、指ガイド24、磁気ストライプ書込部8、巻取機構部7、供給ロール27及び巻取ロール28とを備えている。
【００２１】
指紋センサ3の指紋読取面上には、被認証者の指の指紋画像を常に所定の位置で読み取るために、指の位置合わせを行う指ガイド24が設けられている。指ガイド24と指紋センサ3との間には、透明フィルム20が挿入されている。さらに、透明フィルム20と指紋センサ3との間には、屈折率整合剤23が充填されている。屈折率整合剤23は屈折率整合剤補充器21により充填される。屈折率整合剤23の充填により、指紋センサ3の指紋読取面、指紋読取面−透明フィルム間、透明フィルムの各境界面で、大きな屈折率変化の発生を防ぐことができる。このため、光の透過率が一定に維持され、指紋センサ3は明瞭な指紋画像を取得することができる。透明フィルム20は被認証者の指と接触する面に粘性があるものを用い、被認証者の指先の垢等が残りやすくする。巻取機構部7は透明フィルム20を一定方向に所定の長さだけ巻き取る。透明フィルム20は、供給ロール27より供給され、巻取ロール28に巻き取られる。磁気ストライプ書込部8は、被認証者と被認証者が指を置いた位置とを対応付ける情報を磁気ストライプ25に書き込む。
【００２２】
図2は、本発明における指紋照合装置の構成を簡略的に示すブロック図である。本発明は、被認証者によるパスポートの読み込みを受け付けるパスポートリーダ9、被認証者へ指紋照合装置の操作方法などの指示メッセージを表示する表示部1と、被認証者の指紋画像を取得する指紋センサ3と、指紋センサ3の指紋読取面にかかる圧力を計測する圧力計測装置12、取得された指紋画像と一致する指紋画像を、要注意人物の指紋画像がデータベース化された要注意人物指紋画像DB6から検索する指紋検索装置5と、指紋検索装置5が取得された指紋画像と一致する指紋画像を要注意人物指紋画像DB6から検出した場合に第三者に通知する通知装置11と、被認証者と被認証者によって指が置かれた位置とを対応付ける情報を磁気ストライプ25に書き込む磁気ストライプ書込部8と、透明フィルム20を一定方向に所定の長さだけ巻き取る巻取機構部7と、被認証者が指紋読取面に指を置いた時刻を取得するためのタイマ13とが、シーケンス制御部2に接続されている。また、被認証者のパスポート情報が保存されるパスポート情報記憶部10がパスポートリーダ9に、取得された被認証者の指紋画像が保存される指紋画像記憶バッファ4が指紋センサ3に接続されている。
【００２３】
図3は、上述した圧力計測装置12の構成図である。圧力計測装置12は、圧力センサ16、記憶部17、演算部18、制御部19で構成される。圧力センサ16は、指紋センサ3の指紋読取面にかかる圧力を計測し、計測した値を記憶部17に保存する。演算部18は記憶部17に保存された圧力値の差分処理等の各種演算を行う。なお、これらの動作を制御部19が制御している。
【００２４】
本発明の実施の形態における指紋照合装置の処理を図面を用いて説明する。
【００２５】
パスポートリーダ9についての処理を図4を参照しつつ説明する。
【００２６】
ステップS001において、パスポートリーダ9は被認証者によってパスポートが読み込まされたか否かを判定する。この判定が肯定的であった場合は、パスポートが読み込まされたため、処理はステップS002へ移行する。一方、この判定が否定的であった場合は、処理はステップS001に戻る。
【００２７】
ステップS002において、パスポートリーダ9はパスポート情報記憶部10に被認証者のパスポート情報を保存する。ここで、パスポート情報とは、パスポート番号・氏名・生年月日・国籍・発行国・有効期限等を言う。ステップS002において、被認証者のパスポート情報を保存する理由は、後述するように、パスポート情報を透明フィルム20の磁気ストライプ25に書き込み、被認証者と被認証者によって指を置かれた位置とを対応付けるためである。処理はステップS003へ移行する。
【００２８】
パスポート情報記憶部10に被認証者のパスポート情報の保存が完了すると、ステップS003において、パスポートリーダ9はシーケンス制御部2に保存完了の通知を行う。処理は終了する。
【００２９】
シーケンス制御部2についての処理を図5を参照しつつ説明する。
【００３０】
ステップS004において、シーケンス制御部2はパスポートリーダ9からパスポート情報の保存完了通知があった否かを判定する。この判定が肯定的であった場合は、保存完了通知があったため、処理はステップS005へ移行する。一方、この判定が否定的であった場合は、処理はステップS004に戻る。
【００３１】
ステップS005において、被認証者に指を指紋読取面に置くことを促すため、シーケンス制御部2は表示部1に指示のメッセージを表示する。処理は終了する。
【００３２】
圧力計測装置12についての処理を図6を参照しつつ説明する。
【００３３】
圧力計測装置12は、指紋読取面にかかる圧力を計測している。この値が一定値以上、かつ、安定した値になった時を被認証者によって指が適切に置かれた状態と判定している。指先にある程度の力がかかった状態で指紋読取面に指を置かなければ、透明フィルム20上に採取情報である被認証者の指先の垢等が残らないからである。ステップS006において、圧力センサ16は指紋読取面にかかる圧力Ptを計測する。ここで、tは時刻を表す。処理はステップS007へ移行する。
【００３４】
ステップS007において、制御部19は、ステップS006において計測された圧力センサ16の圧力Ptを記憶部17に保存する。処理はステップS008へ移行する。
【００３５】
ステップS008において、演算部18は、計測された圧力が一定値以上か否かを判定する。指紋読取面にかかる圧力が一定値以上でなければ、フィルム20に被認証者の指先の垢等が残らないからである。この判定が肯定的であった場合は、指紋読取面にかかる圧力が一定値以上であるため、処理はステップS009へ移行する。一方、この判定が否定的であった場合は、処理はステップS006に戻る。
【００３６】
ステップS009において、演算部18は時刻t、t-1間で連続して計測された各圧力センサの圧力PtとPt-1の差分値を計算する。処理はステップS010へ移行する。
【００３７】
ステップS010において、演算部18はステップS009において算出された差分値が所定の値以下であるか否かを判定する。被認証者により、指紋読取面に所定の圧力以上の力で、安定して指が置かれた場合は、差分値が0に近くなる。この時に指紋センサが指紋画像を取得する。この判定が肯定的であった場合は、被認証者により指紋読取面に所定の圧力以上の力で、安定して指が置かれたため、処理はステップS011へ移行する。一方、この判定が否定的であった場合は、処理はステップS006に戻る。
【００３８】
ステップS011において、制御部19は、シーケンス制御部2に、指置き完了の通知をする。処理は終了する。
【００３９】
シーケンス制御部2についての処理を図7を参照しつつ説明する。
【００４０】
ステップS012において、シーケンス制御部2は、制御部19から、指置完了通知があったか否かを判定する。この判定が肯定的であった場合は、指置完了通知があったため、処理はステップS013へ移行する。一方、この判定が否定的であった場合は、処理はステップS012に戻る。
【００４１】
ステップS013において、シーケンス制御部2は、指紋センサ3を起動する。処理は終了する。
【００４２】
指紋センサ3についての処理を図8を参照しつつ説明する。
【００４３】
ステップS014において、指紋センサ3は、シーケンス制御部2より、起動通知があったか否かを判定する。この判定が肯定的であった場合は、起動通知があったため、処理はステップS015へ移行する。一方、この判定が否定的であった場合は、処理はステップS014に戻る。
【００４４】
ステップS015において、指紋センサ3は、被認証者の指の指紋画像を取得する。処理はステップS016へ移行する。
【００４５】
ステップS016において、指紋センサ3は、指紋画像を指紋画像記憶バッファ4に保存する。処理はステップS017へ移行する。
【００４６】
ステップS017において、指紋センサ3は、指紋画像保存が完了したことをシーケンス制御部2へ通知する。処理は終了する。
【００４７】
シーケンス制御部2についての処理を図9を参照しつつ説明する。
【００４８】
ステップS018において、シーケンス制御部2は指紋センサ3から指紋画像保存完了通知があったか否かを判定する。この判定が肯定的であった場合は、完了通知があったため、処理はステップS019へ移行する。一方、この判定が否定的であった場合は、処理はステップS018に戻る。
【００４９】
ステップS019において、シーケンス制御部2は指紋検索装置5を起動する。処理は終了する。
【００５０】
指紋検索装置5についての処理を図10を参照しつつ説明する。
【００５１】
ステップS020において、指紋検索装置5はシーケンス制御部2から起動通知があったか否かを判定する。この判定が肯定的であった場合は、起動通知があったため、処理はステップS021へ移行する。一方、この判定が否定的であった場合は、処理はステップS020に戻る。
【００５２】
ステップS021において、指紋検索装置5は、ステップS016において指紋画像記憶バッファ4に保存された被認証者の指紋画像を取得する。処理はステップS022へ移行する。
【００５３】
ステップS022において、指紋検索装置5は被認証者の指紋画像が要注意人物指紋画像DB6に予め保存された個々の指紋画像と一致するか否かを判定する。一致する画像がある場合は、被認証者は要注意人物と判定され、処理はステップS024へ移行する。一方、一致する画像がない場合は、処理はステップS023へ移行する。
【００５４】
ステップS023において、指紋検索装置5はシーケンス制御部2に指紋照合が完了したこと(一致する指紋画像がなかったこと)を通知する。処理は終了する。
【００５５】
ステップS024において、指紋検索装置5はシーケンス制御部2に指紋照合が完了したこと(一致する指紋画像があったこと)を通知する。処理は終了する。
【００５６】
シーケンス制御部2についての処理を図11を参照しつつ説明する。
【００５７】
ステップS025において、シーケンス制御部2は指紋検索装置5から照合完了通知(一致する指紋画像がなかったこと)があったか否かを判定する。この判定が肯定的であった場合は、完了通知があったため、処理はステップS026へ移行する。一方、この判定が否定的であった場合は、処理はステップS025に戻る。
【００５８】
ステップS026において、シーケンス制御部2は、透明フィルム20を所定の長さだけ巻き取るため、巻取機構部7を起動する。処理は終了する。
【００５９】
巻取機構部7についての処理を図12を参照しつつ説明する。
【００６０】
ステップS027において、巻取機構部7は、シーケンス制御部2より起動通知があったか否かを判定する。この判定が肯定的であった場合は、起動通知があったため、処理はステップS028へ移行する。一方、この判定が否定的であった場合は、処理はステップS027に戻る。
【００６１】
ステップS028において、巻取機構部7は透明フィルム20の巻き取りを開始する。処理はステップS029へ移行する。
【００６２】
ステップS029において、巻取機構部7はシーケンス制御部2へ巻き取りスタートが完了したことを通知する。シーケンス制御部2は、巻取機構部7からの通知を受けて磁気ストライプ書込部8を起動させる。これにより、透明フィルム20の巻き取りと同時に、磁気ストライプ書込部8を起動させて、磁気ストライプ25に、パスポート情報を書き込むことが可能になる。なお、磁気ストライプ書込部8についての処理は後述する。処理はステップS030へ移行する。
【００６３】
ステップS030において、巻取機構部7は透明フィルム20を巻き取る。本実施例において、指紋センサ3が被認証者の指紋画像を読み取る毎に、巻取機構部7は所定の長さだけ透明フィルム20を巻き取る。所定の長さとは、各被認証者に割り当てられる指を置く領域の、一辺の長さのことである。図20(b)に示すように、各被認証者に割り当てる領域を区切り、この領域の長さだけ巻き取ることで、各領域には、被認証者一人分の指の垢等が残るようにする。これにより、透明フィルム20は、供給ロール27から供給され、巻取ロール28に巻き取られる。処理はステップS031へ移行する。ここで、透明フィルム20を所定の長さだけ巻き取る技術について述べる。図20(a)に示すように、巻取ロールが透明フィルム20を巻き取っていくと、巻取ロール28と透明フィルム20とを含めた断面の円の半径である巻取半径は大きくなっていく。つまり、巻取機構部7を常に一定角だけ動くように制御してしまっては、巻取半径が大きくなるにつれて、透明フィルム20を巻き取る長さが大きくなり、各被認証者へ指を置く領域を均等に割り当てることを実現できなくなる。そこで、図20(b)に示すように、透明フィルム20の各被認証者に割り当てる領域の境界に、読取目印29を印刷しておき、巻取機構部7が、この読取目印29を読む毎に巻き取りをストップさせる。これによって、所定の長さだけ透明フィルム20を巻き取ることを実現できる。
【００６４】
ステップS031において、巻取機構部7は、読取目印29を読み取ったか否かを判定する。この判定が肯定的であった場合は、読取目印29を読み取ったため、処理はステップS032へ移行する。一方、この判定が否定的であった場合は、処理はステップS030に戻る。
【００６５】
ステップS032において、巻取機構部7は巻き取りを終了する。処理はステップS033へ移行する。
【００６６】
ステップS033において、巻取機構部7は、巻き取りを完了したことをシーケンス制御部2に通知する。処理は終了する。
【００６７】
シーケンス制御部2についての処理を図13を参照しつつ説明する。
【００６８】
ステップS034において、シーケンス制御部2は、巻取機構部7から巻取スタート完了通知があったか否かを判定する。この判定が肯定的であった場合は、巻取スタート完了通知があったため、処理はステップS035へ移行する。一方、この判定が否定的であった場合は、処理はステップS034に戻る。
【００６９】
ステップS035において、パスポート情報を磁気ストライプ25へ書き込ませるため、シーケンス制御部2は磁気ストライプ書込部8を起動する。処理は終了する。
【００７０】
磁気ストライプ書込部8についての処理を図14を参照しつつ説明する。
【００７１】
ステップS036において、磁気ストライプ書込部8は、シーケンス制御部2より起動通知があったか否かを判定する。この判定が肯定的であった場合は、起動通知があったため、処理はステップS037へ移行する。一方、この判定が否定的であった場合は、処理はステップS036に戻る。
【００７２】
ステップS037において、磁気ストライプ書込部8は、ステップS002においてパスポート情報記憶部10に保存された被認証者のパスポート情報を取得する。処理はステップS038へ移行する。
【００７３】
ステップS038において、磁気ストライプ書込部8は、巻取機構部7により巻き取られている透明フィルム20上の磁気ストライプ25に、被認証者のパスポート情報を書き込む。これにより、被認証者と被認証者が指を置いた位置とを対応付けることができ、さらには、被認証者と透明フィルム上に残った被認証者の指先の垢等とを対応付けることができる。処理はステップS039へ移行する。
【００７４】
ステップS039において、磁気ストライプ書込部8は、書き込みが完了したことをシーケンス制御部2に通知する。処理は終了する。
【００７５】
シーケンス制御部2についての処理を図15を参照しつつ説明する。
【００７６】
ステップS040において、シーケンス制御部2は、指紋検索装置5から指紋検索完了通知(一致する指紋画像がったこと)があったか否かを判定する。この判定が肯定的であった場合は、完了通知があったため、処理はステップS041へ移行する。一方、この判定が否定的であった場合は、処理はステップS040に戻る。
【００７７】
ステップS041において、シーケンス制御部2は、通知装置11を起動する。処理は終了する。
【００７８】
通知装置11についての処理を図16を参照しつつ説明する。
【００７９】
ステップS042において、通知装置11は、シーケンス制御部2から起動通知があったか否かを判定する。この判定が肯定的であった場合は、起動通知があったため、処理はステップS043へ移行する。一方、この判定が否定的であった場合は、処理はステップS042に戻る。
【００８０】
ステップS043において、通知装置11は係員に被認証者の指紋画像が要注意人物指紋画像DB6に保存された指紋画像と一致したことを通知する。処理は終了する。
【実施例２】
【００８１】
実施例1では、透明フィルム20を供給ロール27から供給し、巻取ロールに巻き取ったが、これを他の構成にすることも考えられる。例えば、図21(a)に示す磁気ストライプを有する透明フィルムを、被認証者が指を置く毎にを取り替えてもよい。また、図21(b)に示すように、円盤32上に磁気ストライプを有する透明フィルムを配置する。被認証者が指を置く毎に回転軸31により、円盤32を回転させ、各被認証者は常に新しい透明フィルムに指を置くことができるような構成にしてもよい。
【実施例３】
【００８２】
実施例1では、被認証者が指を置いた透明フィルム上の磁気ストライプ25に、被認証者を特定可能な情報であるパスポート情報を磁気ストライプ書込部8が書き込むことで、被認証者と被認証者が指を置いた位置との対応付けを実現することについて述べたが、他の構成にすることも考えられる。
【００８３】
実施例3では、透明フィルム上の磁気ストライプ25に、被認証者によって指紋読取面に指が置かれた日時分秒を磁気ストライプ書込部8が書き込む。指紋照合装置は、予め、被認証者が操作を始めてから、操作を終了するまでの周期を把握しておく。さらに、予め、当該指紋照合装置を使用した被認証者の順番を把握しておけば、被認証者の操作時間と磁気ストライプ25に書き込まれた日時分秒を参照することで、被認証者と被認証者によって指が置かれた透明フィルムとを対応付けることができる。
【００８４】
以下に、実施例3における指紋照合装置の動作を図面を用いて説明する。なお、実施例3では、実施例1において、パスポート情報を取得する部分の動作が異なるため、この部分の動作について述べる。
【００８５】
指紋センサ3についての処理を図17を参照しつつ説明する。
【００８６】
ステップS201において、指紋センサ3は、指紋画像を取得する。処理はステップS202へ移行する。
【００８７】
ステップS202において、指紋センサ3は、指紋画像取得が完了したことを、シーケンス制御部2へ通知する。処理は終了する。
【００８８】
シーケンス制御部2についての処理を図18を参照しつつ説明する。
【００８９】
ステップS203において、シーケンス制御部2は、指紋センサ3から、指紋画像取得完了の通知があったか否かを判定する。この判定が肯定的であった場合は、指紋画像取得完了の通知があったため、処理はステップS204へ移行する。一方、この判定が否定的であった場合は、処理はステップS203に戻る。
【００９０】
ステップS204において、シーケンス制御部2は、タイマ13から、時刻を取得する。これによって、シーケンス制御部2は、被認証者によって指が指紋読取面に置かれた日時分秒を取得することができる。処理はステップS205へ移行する。
【００９１】
ステップS205において、シーケンス制御部2は、ステップS204において取得した時刻を磁気ストライプ書込部8へ通知する。処理は終了する。
【００９２】
磁気ストライプ書込部8についての処理を図19を参照しつつ説明する。
【００９３】
ステップS206において、磁気ストライプ書込部8は、シーケンス制御部2から、時刻情報が通知されたか否かを判定する。この判定が肯定的であった場合は、時刻情報が通知されたため、処理はステップS207へ移行する。一方、この判定が否定的であった場合は、処理はステップS206に戻る。
【００９４】
ステップS207において、磁気ストライプ書込部8は、透明フィルム上の磁気ストライプ25に時刻情報を書き込む。これによって、磁気ストライプ25は、被認証者によって、指紋読取面に指が置かれた日時分秒を有することになる。処理は終了する。
【実施例４】
【００９５】
実施例1では、被認証者が指を置いた透明フィルム上の磁気ストライプ25に、被認証者を特定可能な情報を磁気ストライプ書込部8が書き込むことで、被認証者と被認証者が指を置いた位置との対応付けを実現することについて述べたが、他の構成にすることも考えられる。
【００９６】
実施例4で使用する透明フィルムは、実施例1で使用した透明フィルム20のように磁気ストライプを有さず、図20(c)に示すように、フィルム上に、例えばP1、P2…のように、被認証者が指を置く領域を特定することができる巻取記号30を印刷しておく。巻取機構部7は、被認証者の指紋読取毎に所定の長さだけ透明フィルムを巻き取る。このため、領域を特定することができる巻取記号30を参照すれば、巻取機構部7が、被認証者何人分だけ巻き取ったかが分かる。従って、予め、当該指紋照合装置を使用した被認証者の順番を把握することができれば、記号を参照することで、被認証者と被認証者によって指が置かれた透明フィルムとを対応付けることができる。
【００９７】
以上の実施の形態では、本発明を実施する場面として、入国審査を想定したが、例えば、将来的に免許証に生体情報を持たせようとする動向があれば、免許センターにおいて、本発明を実施することも考えられる。また、以上の実施の形態では、指紋照合装置全体について説明したが、指紋センサに被認証者の指先の垢等を指紋読取と同時に取得する機能を持たせてもよい。この場合、当該機能を有する指紋センサをPCに接続して使用するなどの実施が考えられる。
【図面の簡単な説明】
【００９８】
【図１】本発明の実施の形態における指紋採取装置を示す外観図である。
【図２】本発明の実施の形態における指紋採取装置のハードウェア構成の一例を簡略的に説明したブロック図である。
【図３】本発明の実施の形態における圧力計測装置のハードウェア構成の一例を簡略的に説明したブロック図である。
【図４】本発明の実施の形態としてのパスポートリーダの動作を示すフローチャートである。
【図５】本発明の実施の形態としてのシーケンス制御部の動作を示すフローチャートである。
【図６】本発明の実施の形態としての圧力計測装置の動作を示すフローチャートである。
【図７】本発明の実施の形態としてのシーケンス制御部の動作を示すフローチャートである。
【図８】本発明の実施の形態としての指紋センサの動作を示すフローチャートである。
【図９】本発明の実施の形態としてのシーケンス制御部の動作を示すフローチャートである。
【図１０】本発明の実施の形態としての指紋検索装置の動作を示すフローチャートである。
【図１１】本発明の実施の形態としてのシーケンス制御部の動作を示すフローチャートである。
【図１２】本発明の実施の形態としての巻取機構部の動作を示すフローチャートである。
【図１３】本発明の実施の形態としてのシーケンス制御部の動作を示すフローチャートである。
【図１４】本発明の実施の形態としての磁気ストライプ書込部の動作を示すフローチャートである。
【図１５】本発明の実施の形態としてのシーケンス制御部の動作を示すフローチャートである。
【図１６】本発明の実施の形態としての通知装置の動作を示すフローチャートである。
【図１７】本発明の実施の形態としての指紋センサの動作を示すフローチャートである。
【図１８】本発明の実施の形態としての制御部の動作を示すフローチャートである。
【図１９】本発明の実施の形態としての磁気ストライプ書込部の動作を示すフローチャートである。
【図２０】(a)巻取ロールが透明フィルムを巻き取るにつれて巻取半径が大きくなることを示す図である。(b)透明フィルムの各被認証者に割り当てられる領域を示す図である。(c)巻取量を示す記号が印刷された透明フィルムの図である。
【図２１】(a)磁気ストライプを有する透明フィルムの図である。(b) 磁気ストライプを有する透明フィルムが回転円盤上に載っている図である。
【符号の説明】
【００９９】
1 表示部、2 シーケンス制御部、3 指紋センサ、4 指紋画像記憶バッファ、5 指紋検索装置、6 要注意人物指紋画像DB、7巻取機構部、8 磁気ストライプ書込部、9 パスポートリーダ、10 パスポート情報記憶部、11 通知装置、12 圧力計測装置、13 タイマ、16 圧力センサ、17 記憶部、18 演算部、19 制御部、20 透明フィルム、21 屈折率整合剤補充機構、23 屈折率整合剤、24 指ガイド、25 磁気ストライプ、27 供給ロール、28 巻取ロール、29 読取目印、30 巻取記号、31 回転軸、32 円盤
【図１】
0004784261.tif 000002
【図２】
0004784261.tif 000003
【図３】
0004784261.tif 000004
【図４】
0004784261.tif 000005
【図５】
0004784261.tif 000006
【図６】
0004784261.tif 000007
【図７】
0004784261.tif 000008
【図８】
0004784261.tif 000009
【図９】
0004784261.tif 000010
【図１０】
0004784261.tif 000011
【図１１】
0004784261.tif 000012
【図１２】
0004784261.tif 000013
【図１３】
0004784261.tif 000014
【図１４】
0004784261.tif 000015
【図１５】
0004784261.tif 000016
【図１６】
0004784261.tif 000017
【図１７】
0004784261.tif 000018
【図１８】
0004784261.tif 000019
【図１９】
0004784261.tif 000020
【図２０】
0004784261.tif 000021
【図２１】
0004784261.tif 000022